(57)【要約】【課題】貯蔵物の乾燥を防止するとともに、多様な貯蔵物を簡単に最適な温度で貯蔵することのできる冷蔵庫を提供する。【解決手段】貯蔵物を収納する複数の収納容器５４ａ〜５４ｄが縦方向に並設された野菜室１２と、野菜室１２の後方上部から冷気を吐出する吐出口１６ａと、野菜室１２の後方下部から冷気が流出する戻り口１９ａと、収納容器５４ａ〜５４ｃの背面に対向して野菜室１２の背壁１００から突出する凸部１０１、１０２、１０３とを備え、上方の凸部１０１、１０２が収納容器５４ａ、５４ｂの下部に対向する。【選択図】図４
2008185243.tif 000002
【特許請求の範囲】
【請求項１】
貯蔵物を収納する複数の収納容器が縦方向に並設された貯蔵室と、前記貯蔵室の後方上部から冷気を吐出する吐出口と、前記貯蔵室の後方下部から冷気が流出する戻り口と、前記収納容器の背面に対向して前記貯蔵室の背壁から突出する凸部とを備え、上方の前記凸部が前記収納容器の下部に対向することを特徴とする冷蔵庫。
【請求項２】
前記凸部は上面が前記背壁から前方に向かって徐々に傾斜角度が緩くなることを特徴とする請求項１に記載の冷蔵庫。
【請求項３】
前記貯蔵室の上部に配された前記凸部の下面は対向する前記収納容器の下端近傍で前記背壁まで後退するとともに、前記貯蔵室の下部に配された前記凸部の下面は対向する前記収納容器の中央部で前記背壁まで後退することを特徴とする請求項２に記載の冷蔵庫。
【請求項４】
前記背壁と隙間を有して前記収納容器間に配される案内板を設けたことを特徴とする請求項１〜請求項３のいずれかに記載の冷蔵庫。
【請求項５】
前記案内板は前記収納容器の上面を塞ぐ蓋から成ることを特徴とする請求項４に記載の冷蔵庫。
【請求項６】
前記案内板の後端が後方に行くほど上がるように形成されることを特徴とする請求項４または請求項５に記載の冷蔵庫。
【請求項７】
前記貯蔵室が野菜室から成ることを特徴とする請求項１〜請求項６のいずれかに記載の冷蔵庫。
【請求項８】
前記貯蔵室の上方に仕切壁を介して冷蔵室を設け、前記吐出口が前記仕切壁を貫通することを特徴とする請求項７に記載の冷蔵庫。
【請求項９】
貯蔵物を収納する複数の収納容器が縦方向に並設された貯蔵室と、前記貯蔵室の後方上部から冷気を吐出する吐出口と、前記貯蔵室の後方下部から冷気が流出する戻り口と、前記吐出口から前記戻り口に降下する冷気の一部を前記収納容器の背面側から前方へ案内する案内構造とを備えたことを特徴とする冷蔵庫。
【発明の詳細な説明】
【技術分野】
【０００１】
本発明は冷蔵庫に関し、特に、貯蔵室内に収納容器を有する冷蔵庫に関する。
【背景技術】
【０００２】
従来の冷蔵庫は特許文献１に開示される。この冷蔵庫は冷蔵庫本体の上部より順に冷蔵室、野菜室、冷凍室が配置されている。冷蔵室の前面は回動式の開閉扉により開閉することができ、野菜室及び冷凍室はスライド式の開閉扉により収納容器とともに引き出せるようになっている。
【０００３】
冷凍室の背後には冷気を生成する冷却器が配置されている。冷却器により生成される冷気は分配室を介して冷凍室或いは冷蔵室に送出される。冷凍室では貯蔵物を冷凍保存するため、冷気の温度は例えば−２０℃に保持される。冷蔵室は貯蔵物を冷蔵保存するため、冷気の送出と停止とを繰り返して例えば３℃に保持される。
【０００４】
冷蔵室内の貯蔵物との熱交換により冷気の温度が上昇し、その後冷気は野菜室に流入する。野菜室内の収納容器には蓋が設けられており、冷蔵室から野菜室の前方に流入した冷気は上記蓋の上面を通り、収納容器の背面に沿って流下して冷却器に戻る。野菜室内の貯蔵物は収納容器及び蓋を介して伝えられる冷熱によって間接冷却される。これにより、貯蔵物に低温の冷気を直接接触させず、野菜等の乾燥を防止して鮮度を保持できるようになっている。
【０００５】
【特許文献１】特許第２６９８５６７号（第３頁−第１３頁、第４図）
【発明の開示】
【発明が解決しようとする課題】
【０００６】
近年、冷蔵庫に貯蔵される貯蔵物が多様化し、例えば、青果物、根菜類、穀類だけでなく化粧品や薬品等も保存されるようになっている。青果物等は通常３℃〜５℃の温度で保存すると乾燥を防止して長期間鮮度を保持することができる。これに対して、薬品等の保管に適した温度は約１０℃と言われている。
【０００７】
このため、上記の従来の冷蔵庫によると、冷蔵庫内で最も高温に保持される野菜室に薬品等を保管しても、温度が低く最適な保管状態にならない。野菜室等を隔離壁により複数の区画に分割して各区画毎に異なる温度に維持することも可能であるが、隔離壁の体積によって冷蔵庫の容積効率が低下する問題があった。
【０００８】
本発明は、貯蔵物の乾燥を防止するとともに、多様な貯蔵物を簡単に最適な温度で貯蔵することのできる冷蔵庫を提供することを目的とする。
【課題を解決するための手段】
【０００９】
上記目的を達成するために本発明は、貯蔵物を収納する複数の収納容器が縦方向に並設された貯蔵室と、前記貯蔵室の後方上部から冷気を吐出する吐出口と、前記貯蔵室の後方下部から冷気が流出する戻り口と、前記収納容器の背面に対向して前記貯蔵室の背壁から突出する凸部とを備え、上方の前記凸部が前記収納容器の下部に対向することを特徴としている。
【００１０】
この構成によると、貯蔵室内に流入する冷気は後方上部の吐出口から貯蔵室内に吐出され、貯蔵室の背壁と収納容器の背面との間を流下する。冷気は収納容器の下部に対向する凸部に衝突して左右に拡散するとともに凸部に沿って収納容器間に導かれる。左右に拡散して凸部を乗り越えて流下する冷気は、後方下部の戻り口から流出する。また、左右に拡散した冷気の一部は収納容器の側面に沿って前方へ流通する。凸部によって収納容器間を前方へ流通する冷気は下方の収納容器の前面を流下した後、戻り口から流出する。これにより、背面、側面及び前面を通る冷気の冷熱によって収納容器内が間接冷却される。
【００１１】
また本発明は、上記構成の冷蔵庫において、前記凸部は上面が前記背壁から前方に向かって徐々に傾斜角度が緩くなることを特徴としている。この構成によると、凸部に衝突する冷気が円滑に前方へ導かれる。
【００１２】
また本発明は、上記構成の冷蔵庫において、前記貯蔵室の上部に配された前記凸部の下面は対向する前記収納容器の下端近傍で前記背壁まで後退するとともに、前記貯蔵室の下部に配された前記凸部の下面は対向する前記収納容器の中央部で前記背壁まで後退することを特徴としている。この構成によると、上方の凸部によって冷気の一部が上方の収納容器間に導かれる。下方の凸部により収納容器の中央部で前方へ導かれる冷気は収納容器の側面に沿って前方へ導かれる。下方の収納容器の下部は前方から戻り口に戻る冷気が流通する。
【００１３】
また本発明は、上記構成の冷蔵庫において、前記背壁と隙間を有して前記収納容器間に配される案内板を設けたことを特徴としている。この構成によると、案内板は凸部よりも下方に配され、凸部に沿って収納容器間に導かれる冷気は案内板によって前方へ案内される。
【００１４】
また本発明は、上記構成の冷蔵庫において、前記案内板が前記収納容器の上面を塞ぐ蓋から成ることを特徴としている。
【００１５】
また本発明は、上記構成の冷蔵庫において、前記案内板の後端が後方に行くほど上がるように形成されることを特徴としている。
【００１６】
また本発明は、貯蔵物を収納する複数の収納容器が縦方向に並設された貯蔵室と、前記貯蔵室の後方上部から冷気を吐出する吐出口と、前記貯蔵室の後方下部から冷気が流出する戻り口と、前記吐出口から前記戻り口に降下する冷気の一部を前記収納容器の背面側から前方へ案内する案内構造とを備えたことを特徴としている。
【００１７】
この構成によると、貯蔵室内に流入する冷気は後方上部の吐出口から貯蔵室内に吐出され、貯蔵室の背壁と収納容器の背面との間を流下する。流下する冷気は左右に拡散するとともに冷気の一部が案内構造によって前方へ導かれる。また、左右に拡散した冷気の一部は収納容器の側面に沿って前方へ流通する。案内構造によって前方へ流通する冷気は下方の収納容器の前面を流下した後、後方へ流通して戻り口から流出する。これにより、背面、側面及び前面を通る冷気の冷熱によって収納容器内が間接冷却される。
【００１８】
また本発明は、上記構成の冷蔵庫において、前記貯蔵室の上方に仕切壁を介して他の貯蔵室を設け、前記吐出口が前記仕切壁を貫通することを特徴としている。この構成によると、上方の貯蔵室を流通した冷気が仕切壁を貫通する吐出口を降下して下方の貯蔵室に流入する。
【発明の効果】
【００１９】
本発明によると、複数の収納容器が縦方向に並設される貯蔵室の後方上部に冷気の吐出口を設けて後方下部に戻り口を設けたので、冷気が収納容器の背面を流通して収納容器内を間接的に冷却することができる。従って、従来例のように収納容器に蓋を設けなくても貯蔵物の乾燥を防止することができる。また、冷気は熱交換しながら流下するため複数の収納容器内を異なる温度にすることができ、隔離壁を設けることなく多種の貯蔵物を異なる温度で保管することができる。
【００２０】
加えて、貯蔵室の背後に冷気ダクトを必要としないため、貯蔵室の容積を広く確保して冷蔵庫の容積効率を向上することができる。更に、貯蔵室の背壁に凸部を設けたので、冷気が凸部と衝突して左右に拡散するため収納容器の背面全体から間接冷却できる。また、拡散した冷気により収納容器の側面から間接冷却することができる。また、凸部に衝突した冷気の一部は容易に収納容器間を前方に導かれ、収納容器を前面からも間接冷却することができる。従って、冷却効率をより向上することができる。
【００２１】
また本発明によると、凸部は上面が背壁から前方に向かって徐々に傾斜角度が緩くなるので、一部の冷気を前方へ円滑に導いて圧力損失増加を抑制することができる。
【００２２】
また本発明によると、上部の凸部の下面が収納容器の下端近傍で背壁まで後退し、下部の凸部の下面が収納容器の中央部で背壁まで後退するので、貯蔵室上部では一部の冷気を収納容器間を前方へ円滑に導くとともに、貯蔵室下部では収納容器下方を通って戻り口に戻る冷気との衝突を防止して圧力損失増加を抑制することができる。
【００２３】
また本発明によると、背壁と隙間を有して収納容器間に配される案内板を設けたので、収納容器間を前方へより円滑に冷気を導くことができる。また、収納容器内への冷気の流入を抑制して貯蔵物の乾燥をより低減することができる。
【００２４】
また本発明によると、案内板が収納容器の上面を塞ぐ蓋から成るので、収納容器内に冷気を進入させることなく貯蔵物の乾燥をより確実に防ぐことができる。
【００２５】
また本発明によると、案内板の後端が後方に行くほど上がるように形成されるので、凸部に沿う冷気をより円滑に案内板上に沿って流通させることができる。
【００２６】
また本発明によると、貯蔵室が野菜室から成るので、乾燥を抑制して各野菜に適した温度で収納容器内に収納することができる。
【００２７】
また本発明によると、野菜室の上方に冷蔵室が配され、吐出口が野菜室と冷蔵室との仕切壁を貫通するので、冷蔵室を流通した冷気を野菜室の上部に設けた吐出口から簡単に野菜室内に吐出することができる。また、野菜室の背壁に吐出口を設ける必要がなく、部品点数を削減することができる。
【００２８】
また本発明によると、吐出口から戻り口に降下する冷気の一部を収納容器の背面側から前方へ案内する案内構造を設けたので、降下する間に拡散した冷気の一部を前方に導いて収納容器を側面及び前面から間接冷却することができる。
【発明を実施するための最良の形態】
【００２９】
以下に本発明の実施形態を図面を参照して説明する。図１は一実施形態の冷蔵庫を示す正面図である。冷蔵庫１は外面を覆う外箱２ａの内側に内箱２ｂが配され、外箱２ａと内箱２ｂとの隙間には発泡ウレタン等の断熱材２ｃが充填されている。外箱２ａは側面部と上面部が一体となったキャビネット部２ｄと背面側のバックプレート２ｅ（図２参照）とから成っている。
【００３０】
冷蔵庫１の内部には上部に冷蔵室１１が配置されている。断熱材から成る仕切壁１６により冷蔵室１１と隔離された下部には、野菜室１２及び冷凍室１３が左右に並んで配置されている。野菜室１２と冷凍室１３とは断熱材から成る仕切壁１９によって隔離されている。冷凍室１３は更に断熱材から成る仕切枠１８により上部と下部に仕切られている。
【００３１】
仕切壁１９内には、ヒータ線（不図示）が内蔵されている。また、野菜室１２内には室内温度を検知する温度センサ（不図示）が設けられている。冷凍室１３と隣接する野菜室１２には冷凍室１３から冷熱が放出されるため、野菜室１２内の温度が局所的に低くなると野菜室１２内が発露する。
【００３２】
このため、最も温度の低くなりやすい仕切壁１９周囲が所定の温度になったことを温度センサにより検知すると、ヒータ線に通電して野菜室１２内の発露が防止される。仕切壁１９内のヒータ線の密度を上下方向で可変してもよい。これにより、後述するように野菜室１２内の上下方向に設けられる温度差をより簡単に形成することができる。
【００３３】
冷蔵室１１内の下部には仕切板４６で仕切られた隔離室である氷温室１４が設けられている。氷温室１４は冷蔵室１１内の右側に設けられ、冷凍室１３の直上に配置されている。冷凍室１３内の上部には製氷を行う製氷部６７が設けられている。氷温室１４の側方には、製氷部６７へ供給する水を溜めるタンク６３が着脱自在に配されている。タンク６３の背後にはタンク６３内の水を製氷部６７へ給水するポンプ（不図示）が設置されている。
【００３４】
図２は冷蔵庫１の上面断面図を示している。冷蔵室１１の前面は把手３ａ、４ａを把持して回動する観音開きの断熱扉３、４により開閉可能になっている。断熱扉３、４の端面にはパッキン３ｂ、４ｂが設けられ、隙間を塞いで冷蔵室１１を密閉できるようになっている。
【００３５】
図３は冷蔵庫１の右側面断面図を示している。冷蔵室１内には貯蔵物が載置される複数の載置棚４５が設けられる。断熱扉３には複数のドアポケット４４が設けられる。また、断熱扉４にも同様のドアポケット４４が設けられる（図４参照）。
【００３６】
冷凍室１３の上部は、スライド式の断熱扉５により前面が開閉可能になっている。断熱扉５の上端に設けられた把手部（不図示）を把持して断熱扉５と一体の収納容器５５を引出せるようになっている。冷凍室１３の下部は回動式の断熱扉６により前面が開閉可能になっている。断熱扉６の上端に設けられた把手部（不図示）を把持して断熱扉６を開き、収納容器５６ａ、５６ｂ、５６ｃを引出せるようになっている。
【００３７】
収納容器５６ａ、５６ｂ、５６ｃはそれぞれ深さが異なり、貯蔵物の大きさに応じて収納することにより貯蔵物の積み重ねが回避される。これにより、大きな貯蔵物を収納できるとともに、積み重なった下方の貯蔵物を取り出す手間がなくなり良好な使い勝手が得られる。
【００３８】
冷凍室１３の下部の背後には、バックプレート２ｅと一体化される断熱壁２０ａを介して圧縮機２０が配されている。圧縮機２０は冷気通路２３内に配される冷却器２１に連結され、冷凍サイクルを運転する。
【００３９】
図５は冷凍サイクルの回路図を示している。圧縮機２０の一端には凝縮器７１が接続され、他端には冷却器２１が接続されている。凝縮器７１と冷却器２１とはキャピラリーチューブ７２を介して接続されている。
【００４０】
圧縮機２０が駆動されると、矢印Ａ１の方向に冷媒が流れる。圧縮された冷媒は凝縮器７１で熱を放出して凝縮する。凝縮して液化された冷媒はキャピラリーチューブ７２で減圧された後、気化する際に冷却器２１で熱を奪って圧縮機２０に戻る。これにより、冷却器２１で空気が冷却され、送風機２２により冷気が送出される。尚、７３は凝縮器７１を冷却する凝縮器用送風機である。
【００４１】
図３において、冷却器２１の下方には除霜を行うガラス管式の除霜ヒータ６２が設けられている。除霜ヒータ６２の下方には除霜水を受けるドレン受け部材６４が設けられる。ドレン受け部材６４の下方には蒸発皿（不図示）が配され、ドレン受け部材６４の流出孔６４ａに接続されたドレンホース（不図示）によりドレン水が蒸発皿に導かれるようになっている。
【００４２】
冷却器２１は冷凍室１３の後方に設けられた冷気通路２３内に配されている。冷気通路２３は背面側が内箱２ｂにより形成され、前面側が樹脂成形品から成るエバカバー３３により形成されている。エバカバー３３には、冷気が通る空間３３ｅが設けられている。空間３３ｅは冷凍室１３の背面を形成する背面板３３ａにより前面側が覆われている。冷気通路２３内の冷却器２１の上方には送風機２２が配されている。冷気通路２３は背面板３３ａに設けられた吐出口１３ａ〜１３ｄ及び戻り口３３ｂによって冷凍室１３と連通している。
【００４３】
尚、エバカバー３３と背面板３３ａとの間の空間３３ｅは、エバカバー３３から突出した突出壁３３ｄで仕切られている。これにより、吐出口１３ａ〜１３ｄ側と戻り口３３ｂ側とが分離され、戻り口３３ｂに連通した開口部３３ｃを介して冷凍室１３内の冷気が冷気通路２３に戻る。また、仕切壁１９（図１参照）には戻り口１９ａが設けられ、後述するように、野菜室１２内を循環した冷気が戻り口１９ａを介して冷気通路２３に戻るようになっている。
【００４４】
仕切壁１６の上方には、冷気通路２３と連通する送風機室２４が設けられる。送風機室２４はダンパ２５により冷気通路２３との連通口を開閉され、送風機室２４内には送風機２６が設けられている。送風機室２４と連通する上方には冷気通路２９が設けられている。ダンパ２５を開いて送風機２６を駆動すると、冷気通路２９に冷気が流通し、冷蔵室１１及び野菜室１２に冷気が送出されるようになっている。
【００４５】
冷気通路２９の背面は内箱２ｂにより形成され、前面は冷却板４２により形成されている。冷却板４２はアルミニウムやステンレス等の金属板を板金加工して形成され、背面側に断熱材４２ｂが貼着されている。
【００４６】
冷気通路２９は前述の図１、図２に示すように、中央に配される上昇通路２９ａと、両側部に配される下降通路２９ｂとを有している。下降通路２９ｂの周部には複数の吐出口４２ａが設けられ、冷気が冷蔵室１１内に吐出されるようになっている。
【００４７】
また、冷気通路２９を通る冷気による冷熱が冷却板４２を介して冷蔵室１１内に放出され、冷蔵室１１内が均一に冷却される。冷却板４２による冷蔵室１１への冷熱の放出を部分的に調整してもよい。例えば、冷却板４２と断熱材４２ｂとの間に隙間を設けて該隙間に微量の冷気を流して冷気の放出量を調整できる。また、断熱材４２ｂの厚みを可変して冷気の放出量を調整できる。
【００４８】
冷蔵室１１の天井部分には冷気通路２９と連通口２９ｃを介して連通する天井冷気通路５７が設けられている。天井冷気通路５７は樹脂成形品から成る上面板４３と内箱２ｂとにより形成されている。上面板４３には吐出口４３ａが設けられ、上面側に断熱材４３ｂ（図３参照）が貼着されている。冷蔵室１１の天井中央部には透明な照明カバー５２で覆われた照明灯（不図示）が設けられ、冷蔵室１１内を照明するようになっている。
【００４９】
また、冷気通路２９から分岐して氷温室１４に連結される分岐通路６０が形成されている。分岐通路６０は吐出口６０ａから冷気を氷温室１４に吐出する。冷蔵室１１の下部には開口部４９ａが開口した連通路４９が設けられる。連通路４９は仕切壁１６を貫通する吐出口１６ａに連結され、野菜室１２に連通する。
【００５０】
図４は冷蔵庫１の左側面断面図を示している。連通路４９は樹脂成形品から成るカバー５０を内箱２ｂに取付けて形成されている。冷蔵室１１内を循環した冷気は連通路４９を通り、仕切壁１６に設けられた吐出口１６ａを介して野菜室１２に吐出される。
【００５１】
野菜室１２は回動式の断熱扉７により前面が開閉可能になっている。断熱扉７の上端に設けられた把持部（不図示）を把持して断熱扉７を開き、収納容器５４ａ、５４ｂ、５４ｃ、５４ｄを引出せるようになっている。収納容器５４ａ、５４ｂ、５４ｃ、５４ｄはそれぞれ深さが異なり、貯蔵物の大きさに応じて収納することにより貯蔵物の積み重ねが回避される。
【００５２】
これにより、スイカ等の大きい野菜や重い野菜等を下方に楽に収納できるとともに、積み重なった下方の貯蔵物を取り出す手間がなくなり利便性がよい。また、積み重ねによる野菜等の損傷を防止することができる。
【００５３】
更に、野菜室１２は縦長になっているため、断熱扉７の背面には縦長の野菜（例えば、長ネギ、ゴボウ、ニラ、セロリ等）を立てたまま収納できる収納部５８が設けられている。収納部５８によって、縦長の野菜を自然に生えているままの姿勢で貯蔵できる。また、後述するように、野菜室１２に流入する冷気の一部のみが前面側を流通する。このため、野菜に直接接触する冷気量が少なく、乾燥を抑制できる。従って、縦長の野菜を新鮮な状態で長期間の保存が可能となる。
【００５４】
尚、収納部５８には、上下に可動して貯蔵物の背面側を支持する支持部５８ａが設けられている。これにより、長さの異なる貯蔵物の最適な位置を支持して転倒を防止することができるようになっている。
【００５５】
野菜室１２の背壁１００には野菜室１２の幅方向に延びる凸部１０１、１０２、１０３が突設される。上方から順に配される凸部１０１、１０２、１０３はそれぞれ収納容器５４ａ、５４ｂ、５４ｃの背面に対向して設けられている。また、下方の凸部が上方の凸部よりも突出量が大きくなっている。即ち、凸部１０１よりも凸部１０２の突出量が大きく、凸部１０２よりも凸部１０３の突出量が大きい。
【００５６】
凸部１０１、１０２、１０３の上面は背壁１００から前方に向かって徐々に傾斜角度が緩くなる。凸部１０１、１０２の下面はそれぞれ収納容器５４ａ、５４ｂの下端近傍で背壁１００まで後退する。凸部１０３の下面は収納容器５４ｃの中央部で背壁１００まで後退する。凸部１０１、１０２、１０３は背壁１００の前面側と一体成形してもよく、突起状または傾斜を有したヒレ状の別部材を背壁１００に取り付けてもよい。
【００５７】
収納容器５４ａ、５４ｂ、５４ｃの間には背壁１００との間に隙間を有して案内板１０４、１０５が配されている。案内板１０４、１０５の後端は後方に行くほど上がる曲面に形成されている。案内板１０４、１０５を背壁１００との間に隙間を有して凸部１０１、１０２の下方に一部重なるように延びる平板状に形成してもよい。
【００５８】
上記構成の冷蔵庫１において、圧縮機２０の駆動により冷却器２１が冷却される。送風機２２が駆動されると、冷凍室１３内の空気は戻り口３３ｂから開口部３３ｃを介して冷気通路２３に流入する。冷気通路２３を流通する空気は冷却器２１と熱交換して冷却され、吐出口１３ａ、１３ｂ、１３ｃ、１３ｄから冷凍室１３内に吐出される。これにより、冷凍室１３内が例えば−２０℃に冷却される。
【００５９】
ダンパ２５を開いて送風機２６が駆動されると、冷気通路２３内の冷気の一部が冷気通路２９及び天井冷気通路５７に送られる。そして、吐出口４２ａ、４３ａから冷気が冷蔵室１１内に吐出される。また、冷却板４２は金属から成るので、冷気通路２９内を流通する冷気の冷熱の一部は冷却板４２を介して冷蔵室１１内に冷熱として放出される。
【００６０】
従って、冷却板４２から放出される冷熱と吐出口４２ａ、４３ａから吐出される冷気とによって冷蔵室１１内が例えば３℃に効率良く均一に冷却される。冷却板４２は熱伝導性の高い材料であればよく、セラミック材料や金属フィラーを含浸した樹脂材料等を使用してもよい。
【００６１】
また、冷気通路２３を通った低温の冷気の一部が直ちに分岐通路６０を通って吐出口６０ａから氷温室１４に適量吐出される。これにより、氷温室１４内の温度を例えば−１℃に維持できるようになっている。
【００６２】
冷蔵室１１に吐出された冷気は載置棚４５の前面を通り、氷温室１４内の冷気とともに連通路４９を介して吐出口１６ａから野菜室１２に吐出される。吐出口４２ａ、４３ａから冷蔵室１１に吐出された冷気は、野菜室１２に流入するまでの間に食品等に冷熱を奪われる。これにより、冷蔵室１１内を循環する冷気の温度は上昇し、昇温された冷気が野菜室１２に流入する。
【００６３】
吐出口１６ａから下方に吐出された冷気は横方向に拡散しながら背壁１００と収納容器５４ａの背面との間を下方へ流れる。下方へ流れる冷気は凸部１０１と衝突することにより横方向に更に拡散される。そして、該冷気は凸部１０１を超えて下方に流通するとともに、凸部１０１の上面に沿って一部が向きを変える。
【００６４】
凸部１０１で向きを変えた冷気は案内板１０４の案内によって収納容器５４ａの底面を流れるとともに、凸部１０１での拡散により収納容器５４ａの両側面を流れる。この時、凸部１０１と収納容器５４ａ背面との隙間は徐々に狭くなるため、該隙間の圧力が高くなって収納容器５４ａの両側面に冷気がより流れ易くなってる。また、凸部１０１よりも下方に案内板１０４が配されるため、案内板１０４の下方には冷気が殆ど流通されない。
【００６５】
収納容器５４ａの底面及び側面に沿って流れる冷気は野菜室１２の前部を流下する。これにより、収納容器５４ａの背面、両側面及び底面を介して収納容器５４ａの内部が間接冷却される。この時、冷気は吐出口１６ａから下方に流れるため収納容器５４ａの上面には冷気が殆ど流通しない。このため、収納容器５４ａ内の貯蔵物に直接冷気が接触せず、貯蔵物の乾燥を抑制することができる。
【００６６】
凸部１０１よりも下方に流通した冷気も同様に、横方向に拡散しながら背壁１００と収納容器５４ｂの背面との間を下方へ流れる。下方へ流れる冷気は凸部１０２と衝突することにより横方向に更に拡散される。そして、該冷気は凸部１０２を超えて下方に流通するとともに、凸部１０２の上面に沿って一部が向きを変える。
【００６７】
凸部１０２で向きを変えた冷気は案内板１０５の案内によって収納容器５４ｂの底面を流れるとともに、凸部１０２での拡散により収納容器５４ｂの両側面を流れる。この時、凸部１０２と収納容器５４ｂ背面との隙間は徐々に狭くなるため、該隙間の圧力が高くなって収納容器５４ｂの両側面に冷気がより流れ易くなってる。また、凸部１０２よりも下方に案内板１０５が配されるため、案内板１０５の下方には冷気が殆ど流通されない。
【００６８】
収納容器５４ｂの底面及び側面に沿って流れる冷気は野菜室１２の前部を流下する。これにより、収納容器５４ｂの背面、両側面、底面及び前面を介して収納容器５４ｂの内部が間接冷却される。更に、案内板１０４の上面を流通する冷気によっても収納容器５４ｂの内部が間接冷却される。この時、案内板１０４の下方には冷気が殆ど流通しないため収納容器５４ｂ内の貯蔵物に直接冷気が接触せず、貯蔵物の乾燥を抑制することができる。
【００６９】
凸部１０２よりも下方に流通した冷気も同様に、横方向に拡散しながら背壁１００と収納容器５４ｃの背面との間を下方へ流れる。下方へ流れる冷気は凸部１０３と衝突することにより横方向に更に拡散される。そして、該冷気は凸部１０３を超えて下方に流通するとともに、凸部１０３の上面に沿って一部が向きを変える。
【００７０】
収納容器５４ｃの中央部に対向する凸部１０３で向きを変えた冷気は収納容器５４ｃの両側面を流れる。この時、凸部１０３と収納容器５４ｃ背面との隙間は徐々に狭くなるため、該隙間の圧力が高くなって収納容器５４ｃの両側面に冷気がより流れ易くなってる。
【００７１】
収納容器５４ｃの側面に沿って流れる冷気は収納容器５４ｃの前面を流下し、収納容器５４ｄの底面に沿って流通して戻り口１９ａから流出する。また、凸部１０３よりも下方に流通した冷気も収納容器の背面に沿って流通して戻り口１９ａから流出する。
【００７２】
これにより、収納容器５４ｃの背面、両側面、底面及び前面を介して収納容器５４ｃの内部が間接冷却される。更に、案内板１０５の上面を流通する冷気によっても収納容器５４ｃの内部が間接冷却される。この時、案内板１０５の下方には冷気が殆ど流通しない。このため、収納容器５４ｃ内の貯蔵物に直接冷気が接触せず、貯蔵物の乾燥を抑制することができる。
【００７３】
尚、収納容器５４ｂ、５４ｃの上面をそれぞれ塞ぐ蓋により案内板１０４、１０５を構成してもよい。これにより、収納容器５４ｂ、５４ｃ内への冷気の進入を遮断して食品や野菜類等の貯蔵物の乾燥をより確実に防止することができる。この時、収納容器５４ｂ、５４ｃは前面側を含む周囲６面から内部が間接冷却されるため、収納容器５４ｂ、５４ｃ内を十分冷却することができる。また、収納容器５４ｂ、５４ｃ内外の温度差が大きくならず、収納容器５４ｂ、５４ｃ内壁の結露を抑制することができる。従って、食品の保存性を向上することができる。
【００７４】
また、凸部１０１、１０２、１０３は下方に配されるほど突出量が大きくなっているため、前方へ流通する最小限の冷気量を確保することができる。即ち、凸部１０１によって一部の冷気が前方へ導かれるため、下方の凸部１０２に到達する冷気量が減少する。このため、凸部１０２の突出量を大きくし、凸部１０２によって前方へ導かれる冷気量が確保される。
【００７５】
また、凸部１０２によって一部の冷気が前方へ導かれるため、下方の凸部１０３に到達する冷気量が更に減少する。このため、凸部１０３の突出量をより大きくし、凸部１０３によって前方へ導かれる冷気量が確保される。
【００７６】
収納容器５４ｃの前面を流通する冷気の一部は収納容器５４ｄの前面を流通する。そして、収納容器５４ｄの両側面及び底面に沿って流通し、背面を通って戻り口１９ａから流出する。これにより、収納容器５４ｄの背面、両側面、底面及び前面を介して収納容器５４ｄの内部が間接冷却される。また、収納容器５４ｄの上面を通る冷気により収納容器５４ｄ内が直接冷却される。戻り口１９ａから流出した冷気は冷気通路２３（図３参照）に戻る。これにより、冷却器２１で生成された冷気が循環し、冷凍室１３、冷蔵室１１、野菜室１２の冷却が行われる。
【００７７】
収納容器５４ａは上面及び前面を冷気が流通しないため、収納容器５４ｂ、５４ｃ、５４ｄよりも収納容器５４ａ内の温度を高く維持することができる。また、冷気は各収納容器５４ａ〜５４ｄ内の貯蔵物と熱交換しながら下方に流通するため、収納容器５４ｂ、５４ｃ、５４ｄの順に温度が高くなる。これにより、各収納容器５４ａ〜５４ｄ内に異なる温度で貯蔵物を保管することができる。例えば、上部の収納容器５４ａ内の温度を約１０℃に維持して薬品や化粧品を保存し、下部の収納容器５４ｄ内の温度を約５℃に維持して青果物等を保管することができる。
【００７８】
また、収納容器５４ｂ、５４ｃは低温に維持されるため内壁面に結露させることなく、低温・高湿で貯蔵物を保存できる。収納容器５４ｄは上面から一部冷気が流入するが、冷気量が少ないため乾燥を抑制して保湿性を有することができる。収納容器５４ｄの上面に乾燥防止のための蓋を設けてもよい。
【００７９】
尚、案内板１０４、１０５を奥行方向に伸縮可能に形成してもよい。案内板１０４、１０５の奥行を短くすることにより、冷気の一部を収納容器５４ｂ、５４ｃに直接入れることができる。これにより、貯蔵物が乾燥し易くなるが、貯蔵物に応じて収納容器５４ｂ、５４ｃ内の温度をより低温に維持することができる。
【００８０】
また、下方の凸部１０３の位置を収納容器５４ｃの上下方向で可変にしてもよい。これにより、収納容器５４ｃの両側面を流れる冷気量を可変して、収納容器５４ｃ内部で前後方向（奥行方向）に温度差を設けることができる。従って、よりきめ細かく温度管理して貯蔵物を保存することができる。
【００８１】
本実施形態によると、複数の収納容器５４ａ〜５４ｄが縦方向に並設される野菜室１２の後方上部に冷気の吐出口１６ａを設けて後方下部に戻り口１９ａを設けたので、冷気が収納容器５４ａ〜５４ｃの背面を流通して収納容器５４ａ〜５４ｃ内を間接的に冷却することができる。従って、従来例のように収納容器に蓋を設けなくても貯蔵物の乾燥を防止することができる。また、冷気は熱交換しながら流下するため複数の収納容器５４ａ〜５４ｄ内を異なる温度にすることができ、隔離壁を設けることなく多種の貯蔵物を異なる温度で保管することができる。
【００８２】
加えて、野菜室１２の背後に冷気ダクトを必要としないため、野菜室１２の容積を広く確保して冷蔵庫１の容積効率を向上することができる。更に、野菜室１２の背壁１００に凸部１０１、１０２、１０３を設けたので、冷気が凸部１０１、１０２、１０３と衝突して左右に拡散するため収納容器５４ａ〜５４ｃの背面全体から間接冷却できる。また、拡散した冷気により収納容器５４ａ〜５４ｃの側面から間接冷却することができる。また、凸部１０１、１０２に衝突した冷気の一部は容易に収納容器５４ａ〜５４ｃ間を前方に導かれ、収納容器５４ｂ、５４ｃを前面からも間接冷却することができる。従って、冷却効率をより向上することができる。
【００８３】
また、凸部１０１、１０２、１０３は上面が背壁１００から前方に向かって徐々に傾斜角度が緩くなるので、一部の冷気を前方へ円滑に導いて圧力損失増加を抑制することができる。
【００８４】
また、上部の凸部１０１、１０２の下面が収納容器５４ａ、５４ｂの下端近傍で背壁１００まで後退し、下部の凸部１０３の下面が収納容器５４ｃの中央部で背壁１００まで後退するので、野菜室１２上部では一部の冷気を収納容器５４ａ〜５４ｃ間を前方へ円滑に導くとともに、野菜室１２下部では収納容器５４ｃの下方を通って戻り口１９ａに戻る冷気との衝突を防止して圧力損失増加を抑制することができる。
【００８５】
また、背壁１００と隙間を有して収納容器５４ａ〜５４ｃ間に配される案内板１０４、１０５を設けたので、収納容器５４ａ〜５４ｃ間を前方へより円滑に冷気を導くことができる。また、収納容器５４ｂ、５４ｃ内への冷気の流入を抑制して貯蔵物の乾燥をより低減することができる。
【００８６】
また、案内板１０４、１０５の後端が後方に行くほど上がるように形成されるので、凸部１０１、１０２に沿う冷気をより円滑に案内板１０４、１０５上に沿って流通させることができる。
【００８７】
本実施形態において、凸部１０１、１０２及び案内板１０４、１０５によって冷気を前方へ導いているが他の構成により冷気を前方へ導いてもよい。即ち、吐出口１６ａから戻り口１９ａに降下する冷気の一部を収納容器５４ａ、５４ｂの背面側から前方へ案内する案内構造を設けることにより、降下する間に拡散した冷気の一部を前方に導いて収納容器を側面及び前面から間接冷却することができる。
【００８８】
また上記と同様に、冷気が収納容器５４ａ〜５４ｃの背面を流通して収納容器５４ａ〜５４ｃ内を間接的に冷却することができる。更に、冷気は熱交換しながら流下するため複数の収納容器５４ａ〜５４ｄ内を異なる温度にすることができ、隔離壁を設けることなく多種の貯蔵物を異なる温度で保管することができる。加えて、野菜室１２の背後に冷気ダクトを必要としないため、野菜室１２の容積を広く確保して冷蔵庫１の容積効率を向上することができる。
【００８９】
また、収納容器５４ａ〜５４ｄのそれぞれの上下方向の間隔を８ｍｍ以内にすると、収納容器５４ｂ〜５４ｄ内の乾燥度が蓋を設けた場合と同じ程度になる。即ち、収納容器５４ａ〜５４ｄの間隔を狭くすることによって収納容器５４ｂ〜５４ｄ内に冷気が殆ど流入しない。これにより、乾燥を防止して冷蔵庫１の収納容積効率をより向上することができる。この時、収納容器５４ｂの上部は収納容器５４ａの底面部からの伝熱によって間接的に冷却される。同様に、収納容器５４ｃ、５４ｄの上部は収納容器５４ｂ、５４ｃの底面部からの伝熱により間接的に冷却される。
【産業上の利用可能性】
【００９０】
本発明によると、貯蔵室内に複数の収納容器を有する冷蔵庫に利用することができる。
【図面の簡単な説明】
【００９１】
【図１】本発明の実施形態の冷蔵庫を示す正面図
【図２】本発明の実施形態の冷蔵庫を示す上面断面図
【図３】本発明の実施形態の冷蔵庫を示す右側面断面図
【図４】本発明の実施形態の冷蔵庫を示す左側面断面図
【図５】本発明の実施形態の冷蔵庫の冷凍サイクルを示す回路図
【符号の説明】
【００９２】
１    冷蔵庫
２ａ  外箱
２ｂ  内箱
２ｃ  断熱材
３、４、５、６、７  断熱扉
１１    冷蔵室
１２    野菜室
１３    冷凍室
１４    氷温室
１６、１９  仕切壁
１６ａ  吐出口
１９ａ  戻り口
２０    圧縮機
２１    冷却器
２２、２６  送風機
２３、２９  冷気通路
２５    ダンパ
３３    エバカバー
４２    冷却板
４９    連通路
５４ａ〜５４ｄ、５５、５６ａ〜５６ｃ  収納容器
５７    天井冷気通路
５８    収納部
６１    背面板
６２    除霜ヒータ
６３    タンク
６４    ドレン受け部材
６５    カバー
６６    案内板
６７    製氷部
１００    背壁
１０１〜１０３  凸部
１０４、１０５  案内板
【図１】
2008185243.tif 000003
【図２】
2008185243.tif 000004
【図３】
2008185243.tif 000005
【図４】
2008185243.tif 000006
【図５】
2008185243.tif 000007